(57)【特許請求の範囲】
【請求項１】
グリル庫の前面開口に設けられ支軸を支点として上下方向に回動して片開き状に開閉するグリル扉と、
上記グリル扉を開方向に付勢する付勢手段と、
上記グリル庫内を進退方向にスライドしてグリル庫に出し入れする受皿と、
上記グリル扉の支軸と異なる位置の支点に回動自在に取り付けられ該支点からグリル庫の奥方向に延設されたアーム部が上記受皿の背面に当接し上記グリル扉の開閉動作と受皿の進退動作とを連動させる連結部材と、
グリル庫側壁を受皿進退方向に延びた長孔状に開口し、上記グリル扉の全閉から全開までのストロークで上記連結部材のアーム部を上記受皿の背面に当接するようにガイドするガイド孔とを備えたグリル庫の扉開閉装置において、
上記ガイド孔は、その形成方向を上記グリル扉の閉位置近傍のみ受皿進退方向から傾斜させた形状としたことを特徴とするグリル庫の扉開閉装置。
【発明の詳細な説明】
【０００１】
【発明の属する技術分野】
本発明はグリル庫内で魚等の調理品を加熱するガスグリルの扉開閉装置に関する。
【０００２】
【従来の技術】
従来より、ガステーブルこんろにおいては、中央部に魚等の調理品を加熱調理できるガスグリルを備え、調理品を焼網に載せたまま受皿を手前にスライドさせると、それに伴いガスグリルの扉が自動的に上に跳ね上がるため扉がじゃまにならず容易に調理品を取り出すことができるタイプのものが知られている。
例えば実開平５−４２９１２に開示されたガスグリルは、図６，図７，図８に示すように、調理品を載せる焼網１０と、焼網１０を載せたまま手前にスライドさせて引出す受皿１と、ガスを燃焼させて調理品を加熱するバーナ１５と、これらを収めるグリル庫５等から構成される。グリル庫５は、その底壁５ａにガイドレール６と、その前面開口側壁７にグリル扉２を備える。
グリル扉２の内側には、略Ｌ字状の連結具１２が両サイドに固定され、連結具１２の一端には連結具１２の回動支点となる支軸１１が、他端には軸孔１２ａが設けられる。支軸１１は、前面開口側壁７に軸支され、軸孔１２ａには、コの字状に折り曲げられたアーム部３の両端がはめ込まれる。アーム部３の中間の直線部３ｂに対応して、スライド方向に長孔形状のガイド孔３３をグリル庫側壁５ｂの奥部に開口し、直線部３ｂを挿通する。
グリル庫側壁５ｂの手前部には、引掛片１４が設けられ、このアーム部３の直線部３ｂと引掛片１４との間にバネ４を張り、アーム部３を介してグリル扉２を跳ね上げ方向に付勢する。受皿１の背面１ａには、アーム部３の直線部３ｂが当接し受皿１も引き出し方向に付勢される。グリル庫５入口の底壁５ａには、バネ４の付勢力により受皿１が手前に飛び出すのを規制し収納位置を確定する突起状のストッパー２０が設けられる。
バネ４は、受皿１が手前に引き出されグリル扉２を支軸１１を回転の支点として上方向へ跳ね上げた時、グリル扉２が下方向へ戻って閉じてしまうのを防ぎそのまま保持するだけの力が必要である。そのため、受皿１が所定位置まで引き出された地点で、所定力（グリル扉２の自重による荷重力以上）付勢しているように設計される。
こうした構成により、受皿１は、ガイドレール６に沿ってスライドし、それに伴ってグリル扉２０が自動的に開閉するので、グリル庫５への出し入れが容易にできるというものである。
【０００３】
【発明が解決しようとする課題】
しかしながら、跳ね上げたグリル扉２を安定して保持するためには、バネ４の付勢力を強くしておく必要があり、強くしすぎた場合、ちょっとした振動等により、受皿１がストッパー２０を乗り越えて収納位置から手前に飛び出してしまう恐れがある。また、ストッパー２０のロックを確実にするため、受皿１がロックの突起を大きく乗り越える必要があり、その際の操作性が良くない。
本発明のグリル庫の扉開閉装置は、上記課題を解決し、安定した操作性を得ることを目的とする。
【０００４】
【課題を解決するための手段】
上記課題を解決する本発明の請求項１記載のグリル庫の扉開閉装置は、グリル庫の前面開口に設けられ支軸を支点として上下方向に回動して片開き状に開閉するグリル扉と、上記グリル扉を開方向に付勢する付勢手段と、上記グリル庫内を進退方向にスライドしてグリル庫に出し入れする受皿と、上記グリル扉の支軸と異なる位置の支点に回動自在に取り付けられ該支点からグリル庫の奥方向に延設されたアーム部が上記受皿の背面に当接し上記グリル扉の開閉動作と受皿の進退動作とを連動させる連結部材と、グリル庫側壁を受皿進退方向に延びた長孔状に開口し、上記グリル扉の全閉から全開までのストロークで上記連結部材のアーム部を上記受皿の背面に当接するようにガイドするガイド孔とを備えたグリル庫の扉開閉装置において、上記ガイド孔は、その形成方向を上記グリル扉の閉位置近傍のみ受皿進退方向から傾斜させた形状としたことを要旨とする。
【０００５】
上記構成を有する本発明のグリル庫の扉開閉装置は、受皿を進退方向にスライドさせてグリル庫より出し入れする際、受皿のスライドに連動してグリル扉が自動的に開閉する。グリル扉は、付勢手段により開方向に付勢されつつグリル庫の前面開口で支軸を支点として上下方向に回動し片開き状に開閉する。受皿は、背面に連結部材のアーム部を当接することによってグリル扉を連動し、アーム部は、グリル庫側壁に開口され受皿進退方向に延びた長孔（ガイド孔）をスライドする。
アーム部は、ガイド孔をスライドし、グリル扉は、その区間で全開から全閉まで連動して開閉する。グリル扉は、付勢手段により常に開方向に付勢されており、閉位置でも、開方向に荷重が連結部材に加わっている。しかし、連結部材のアーム部をガイドしているガイド孔が閉位置近傍のみ受皿進退方向から傾斜させた形状としているので、この荷重は、大部分が長孔の側壁で受けられて受皿進退方向に加わる分が軽減される。従って、ちょっとした振動等がきっかけで、連結部材が受皿進退方向の荷重により閉位置から移動してしまって受皿が飛び出したりグリル扉が開いてしまうことが防止される。
また、付勢力が大きい場合には、例えばグリル庫閉位置で受皿の動きをロックする機構が設けられる場合があるが、こうした場合、このロック機構に加わる荷重も軽減される。
【０００６】
【発明の実施の形態】
以上説明した本発明の構成・作用を一層明らかにするために、以下本発明のグリル庫の扉開閉装置の好適な実施例について図を用いて説明する。
図１〜図５は、第１実施例としてのガスグリル４０の扉開閉装置の作動要部の概略構成図であり、図１が側面図、図２が受皿１を奥まで押込んだ状態の説明図、図３が受皿１を手前に引き出した状態の説明図、図４が正面断面図、図５が平面図である。なお、ガスグリル４０は、先に説明した従来のガスグリルとグリル庫側壁５ｂのガイド孔１３の形状のみが異なるので重複を避けるため、同一部分の構成については同一符合を付し詳しい説明は省略する。
ガスグリル４０のグリル扉２の内側には、略Ｌ字状の連結具１２が固定され、連結具１２の一端には連結具１２の回動支点となる支軸１１が、他端には軸孔１２ａが設けられる。支軸１１は、前面開口側壁７に軸支され、軸孔１２ａには、コの字状に折り曲げられたアーム部３の両端がはめ込まれる。アーム部３の中間の直線部３ｂに対応して、スライド方向に長孔形状のガイド孔１３をグリル庫側壁５ｂの奥部に開口し、直線部３ｂを挿通する（図２，図３参照）。ガイド孔１３は、スライド方向に延びたスライド部１３ａと、先端がスライド方向から方向を変え上方向に傾斜させた傾斜部１３ｂとがつながった略Ｌ字状の長孔に形成される。
【０００７】
受皿１を手前に引き出していくと（図２→図３）、グリル扉２が開き始め、全開した状態で、アーム部３の直線部３ｂがスライド部１３ａの端に収まり、それ以上の移動を制止される。受皿１は、アーム部３の直線部３ｂより離間し、図示しない位置までさらに移動する。
一方、受皿１を奥まで押込んだ状態では、図２に示すように、アーム部３の直線部３ｂが傾斜部１３ｂの端に収まり、バネ４が最長となって直線部３ｂを手前方向（図２左方向）へ付勢し最大荷重が直線部３ｂに加わっている。この時、傾斜部１３ｂがスライド方向から方向を変え傾斜しているので、この付勢力は、ほとんどがガイド孔１３の孔壁により受けられ、孔壁に対して平行方向の分力はわずかとなるので、直線部３ｂが傾斜部を戻ろうとして受皿１の奥の背面１ａに加える力（受皿１を手前に引き出そうとする力）も小さくなる。こうした小さい力では、受皿１の動きをロックするストッパー２０により、受皿１は移動しないので、受皿１が飛び出してしまったり、アーム部３の閉位置からの移動によってグリル扉２が開いてしまうことが防止される。
また、グリル扉２０閉位置で、ロックに大きな力が不用となりロックが安定する。
以上本発明の実施例について説明したが、本発明はこうした実施例に何等限定されるものではなく、本発明の要旨を逸脱しない範囲において、種々なる態様で実施し得ることは勿論である。例えば、本実施例ではガイド孔１３が略Ｌ字状（傾斜部１３ｂが上方向に傾斜）であったが、逆Ｌ字状（傾斜部が下方向に傾斜）であってもよい。また、ガイド孔１３には、コの字状に折曲げられたアーム部３の直線部３ｂを挿通したが、そうした形状に限らず直線部３ｂがなく左右に分離した形状でもよい。この場合、アーム部３は、先端が直角に折曲げられた左右勝手違いのアーム２本で形成され、各々の先端がそれぞれガイド孔１３に挿通されるとともに受皿１の背面１ａに当接し、アーム部３の構成が簡単になるという利点がある。
【０００８】
【発明の効果】
本発明のグリル庫の扉開閉装置は、閉位置において、グリル扉の開方向に付勢している荷重の大部分が、傾斜したガイド孔で受けられ受皿を移動させようとする力が軽減されるので、受皿が飛び出したりグリル扉が開いてしまうことが防止される。また、受皿にロック機構が設けられている時もロックに大きな力が不用となる。そのため、安全で使いやすく耐久性も向上する。
【図面の簡単な説明】
【図１】第１実施例としてのグリル庫の扉開閉装置の概略構成図（側面図）である。
【図２】第１実施例としてのグリル庫の扉開閉装置の概略構成図（扉閉時）である。
【図３】第１実施例としてのグリル庫の扉開閉装置の概略構成図（扉開時）である。
【図４】第１実施例としてのグリル庫の扉開閉装置の概略構成図（正面図）である。
【図５】第１実施例としてのグリル庫の扉開閉装置の概略構成図（平面図）である。
【図６】従来例としてのグリル庫の扉開閉装置の概略構成図（側面図）である。
【図７】従来例としてのグリル庫の扉開閉装置の概略構成図（側面図）である。
【図８】従来例としてのグリル庫の扉開閉装置の概略構成図（平面図）である。
【符号の説明】
１  受皿
１ａ  背面
２  グリル扉
３  アーム部
４  バネ
５  グリル庫
６  ガイドレール
７  前面開口側壁
１０  焼網
１１  支点
１２  連結具
１２ａ  軸孔
１３，３３  ガイド孔
１４  引掛片
１５  バーナ
４０  ガスグリル
【図１】
0003580463.tif 000002
【図２】
0003580463.tif 000003
【図３】
0003580463.tif 000004
【図４】
0003580463.tif 000005
【図５】
0003580463.tif 000006
【図６】
0003580463.tif 000007
【図７】
0003580463.tif 000008
【図８】
0003580463.tif 000009